(57)【要約】【課題】記録媒体を高速で、かつ、ジャム等の故障を生じることなく、安定した搬送することが可能なインクジェット記録装置を提供することを課題とする。【解決手段】記録媒体Ｐを下面から支持する平板状のテーブル２２は、画像記録領域Ｒ上を移動する位置に貫通している吸引穴２７が配置されている平板状のテーブル上部２６と、テーブル上部２６に配置された吸引穴２７を裏面から周辺部Ｅとそれ以外の部分Ｃとに区切る障壁２５が設けられたテーブル下部２３とから構成されている。【選択図】図３
2007144848.tif 000002
【特許請求の範囲】
【請求項１】
吸引装置を用いた吸引力によって記録媒体支持部に保持された記録媒体上に画像を形成する画像形成装置において、
前記記録媒体支持部で前記記録媒体の周辺部を保持する部分には、それ以外の部分よりも前記記録媒体支持部を貫通する吸引穴が多く設けられていることを特徴とする画像形成装置。
【請求項２】
前記吸引力は、前記吸引穴の数、又は穴径の少なくとも一つにより制御されることを特徴とする請求項１に記載の画像形成装置。
【請求項３】
前記記録媒体の周辺部を吸引する吸引装置と、前記周辺部以外の部分を吸引する吸引装置とを備え、
前記記録体の周辺部を吸引する吸引装置の吸引力は、前記周辺部以外の部分を吸引する吸引装置の吸引力よりも大きいことを特徴とする請求項１又は請求項２に記載の画像形成装置。
【請求項４】
前記吸引装置は、前記記録媒体支持部以外に搭載されていることを特徴とする請求項１から請求項３のいずれか一項に記載の画像形成装置。
【請求項５】
前記記録媒体の周辺部の吸引力は、前記記録媒体の異なる大きさに対応することを特徴とする請求項１から請求項４のいずれか一項に記載の画像形成装置。
【請求項６】
前記記録媒体支持部は、ハニカム構造であることを特徴とする請求項１から請求項５のいずれか一項に記載の画像形成装置。
【請求項７】
前記インクは、活性エネルギー線の照射により硬化する活性エネルギー線硬化型インクであり、
前記記録媒体に吐出された活性エネルギー線硬化型インクに光による活性エネルギー線を照射する照射装置を備えたことを特徴とする請求項１から請求項６のいずれか一項に記載の画像形成装置。
【請求項８】
前記照射装置は、紫外線照射装置であることを特徴とする請求項７に記載の画像形成装置。
【発明の詳細な説明】
【技術分野】
【０００１】
本発明は、画像形成装置に係り、詳細には、記録媒体支持部に支持された記録媒体に画像を形成する画像形成装置に関する。
【背景技術】
【０００２】
従来、普通紙をはじめとした様々な記録媒体に印刷可能な画像形成装置として、インクジェット記録装置が知られている。インクジェット記録装置は、記録ヘッドの記録媒体に対向する面に設けられた吐出口（以下、ノズルと称す）からインクを直接記録媒体に吐出し、記録媒体上に着弾、浸透若しくは定着させることにより記録媒体上に画像を形成する記録装置である。このようなインクジェット記録装置は、工程の単純さ、印刷時における静粛性及び形成した画像品質等で非常に優れた特徴を有している。
【０００３】
近年、インクジェット記録装置の記録媒体としてインク吸収性を有さない樹脂や金属等の材料を用いるときには、インクを記録媒体上に定着させるために、活性エネルギー線硬化型インクを用いることが多い。活性エネルギー線硬化型インクを用いるインクジェット記録装置には、通常、インクを硬化させるために活性エネルギー線を照射する紫外線照射装置が配設されており、この紫外線照射装置の光源から記録媒体に着弾したインクに、インクが硬化する活性エネルギー量の紫外線を照射して記録媒体にインクを硬化定着させることにより、画像を形成している。
【０００４】
しかし、このようなインクジェット記録装置では、活性エネルギー線照射による熱や、記録媒体の自然放置により湿気などを含むことにより、記録媒体の端部が曲がりやすくなるため、この状態の記録媒体を搬送すると、ジャム等の故障が発生しやすくなるという問題を有している。
【０００５】
このため、記録媒体を搬送する搬送ベルトに吸引穴を設け、この吸引穴から記録媒体を搬送ベルトに吸引しながら搬送する技術が公開されている（例えば、特許文献１参照）。
【０００６】
また、記録媒体の端部を補助ローラで押圧することにより、記録媒体の端部が浮くことを防止する技術が公開されている（例えば、特許文献２参照）。
【特許文献１】特開２００２−１０３５９８号公報
【特許文献２】特開２００１−２７８４９８号公報
【発明の開示】
【発明が解決しようとする課題】
【０００７】
しかしながら、特許文献１のように、記録媒体全体を均一な力で吸引して搬送する手段は、記録媒体が高速にかつ狭い空間を搬送されるときに、搬送による風の流れの変化により記録媒体の端部が浮きやすくなるという問題を有している。
【０００８】
また、特許文献２のように、記録媒体の端部を補助ローラで押圧する手段は、押圧している箇所に画像を形成することができないという問題を有している。
【０００９】
本発明は、前記した点に鑑みてなされたもので、記録媒体を高速で、かつ、ジャム等の故障を生じることなく、安定した搬送することが可能なインクジェット記録装置を提供することを課題とするものである。
【課題を解決するための手段】
【００１０】
このような課題を解決するために、請求項１に記載の発明は、
吸引装置を用いた吸引力によって記録媒体支持部に保持された記録媒体上に画像を形成する画像形成装置において、
前記記録媒体支持部で前記記録媒体の周辺部を保持する部分には、それ以外の部分よりも前記記録媒体支持部を貫通する吸引穴が多く設けられていることを特徴とする。
【００１１】
請求項２に記載の発明は、請求項１に記載の画像形成装置において、前記吸引力は、前記吸引穴の数、又は穴径の少なくとも一つにより制御されることを特徴とする。
【００１２】
請求項３に記載の発明は、請求項１又は請求項２に記載の画像形成装置において、
前記記録媒体の周辺部を吸引する吸引装置と、前記周辺部以外の部分を吸引する吸引装置とを備え、
前記記録体の周辺部を吸引する吸引装置の吸引力は、前記周辺部以外の部分を吸引する吸引装置の吸引力よりも大きいことを特徴とする。
【００１３】
請求項４に記載の発明は、請求項１から請求項３のいずれか一項に記載の画像形成装置において、前記吸引装置は、前記記録媒体支持部以外に搭載されていることを特徴とする。
【００１４】
請求項５に記載の発明は、請求項１から請求項４のいずれか一項に記載の画像形成装置において、前記記録媒体の周辺部の吸引力は、前記記録媒体の異なる大きさに対応することを特徴とする。
【００１５】
請求項６に記載の発明は、請求項１から請求項５のいずれか一項に記載の画像形成装置において、前記記録媒体支持部は、ハニカム構造であることを特徴とする。
【００１６】
請求項７に記載の発明は、請求項１から請求項６のいずれか一項に記載の画像形成装置において、
前記インクは、活性エネルギー線の照射により硬化する活性エネルギー線硬化型インクであり、
前記記録媒体に吐出された活性エネルギー線硬化型インクに光による活性エネルギー線を照射する照射装置を備えたことを特徴とする。
【００１７】
請求項８に記載の発明は、請求項７に記載の画像形成装置において、前記照射装置は、紫外線照射装置であることを特徴とする。
【発明の効果】
【００１８】
請求項１に記載の発明によれば、記録媒体は、裏面から受ける吸引力に比例して記録媒体支持部に保持されるので、記録媒体の周辺部はそれ以外の部分よりも強い吸引力により強く保持され、記録媒体の端部の浮きや剥がれが生じることが低減される効果を奏する。そして、記録媒体の浮きや剥がれによるジャム等の画像記録装置の故障を防止することができる効果も奏する。
【００１９】
請求項２に記載の発明によれば、吸引穴の数、穴径により吸引力を制御することができるので、記録媒体の種類や大きさ、また、記録媒体の移動速度に対応した適切な吸引力にすることができる効果を奏する。
【００２０】
請求項３に記載の発明によれば、吸引力の異なる吸引装置を備え、記録媒体の周辺部に吸引力の強い吸引装置を用いることにより、記録媒体の中央部よりも周辺部のほうに強い保持力を付すことができる効果を奏する。
【００２１】
請求項４に記載の発明によれば、記録媒体支持部以外に吸引装置が搭載されているため記録媒体支持部が軽量となり、高速に搬送させることができる効果を奏する。
【００２２】
請求項５に記載の発明によれば、異なる大きさの記録媒体を用いても、その記録媒体の大きさに対応させて周辺部の吸引力を大きくすることができる効果を奏する。
【００２３】
請求項６に記載の発明によれば、ハニカム構造を用いた記録媒体支持部は、軽量で強度が大きいため、高速で安定した搬送をすることができる効果を奏する。
【００２４】
請求項７に記載の発明によれば、活性エネルギー線硬化型インクを用いる画像形成装置で画像を形成するときに、記録媒体の周辺部は、それ以外の部分よりも強い吸引力により記録媒体支持部に保持されているため、記録媒体の端部が浮き上がることを低減し、ジャム等の画像記録装置の故障を防止することができる効果を奏する。
【００２５】
請求項８に記載の発明によれば、紫外線照射装置を用いる画像形成装置で画像を形成するときに、記録媒体の周辺部は、それ以外の部分よりも強い吸引力により記録媒体支持部に保持されているため、記録媒体の端部が浮き上がることを低減し、ジャム等の画像記録装置の故障を防止することができる効果を奏する。
【発明を実施するための最良の形態】
【００２６】
以下、本発明を実施するための最良の形態について図面を参照しながら説明する。但し、以下に述べる実施形態には、本発明を実施するために技術的に好ましい様々な限定が付されているが、発明の範囲を実施形態及び図示例に限定するものではない。
【００２７】
図１は、本発明に係る画像形成装置の概略構成を示す斜視図であり、図２は、本発明に係る画像形成装置の概略構成を示す断面図である。本実施形態では、画像形成装置が、インクジェット記録装置である例を説明する。
【００２８】
図１に示すように、本実施形態におけるインクジェット記録装置１は、基板としての上板２と、下板３とを４本の支柱４で連結した形状からなる支持台５を備えている。支柱４の下面には、キャスター６がそれぞれ配設されており、これらキャスター６の回転動作によって支持台５が移動可能となっている。
一方、上板２の上面には、上板２の長手方向（以下、副走査方向Ｙという。）と直交する方向（以下、主走査方向Ｘという。）に延在する第１支持板７が設けられ、この第１支持板７の上面には、略四角柱状の長尺なガイドレール８が取り付けられている。
【００２９】
上述したガイドレール８には、主走査方向Ｘに沿って往復移動自在なキャリッジ９が備えられている。キャリッジ９は、ガイドレール８に支持される支持部１０と、略直方体状の本体部１１と、支持部１０と本体部１１とを連結している連結部材１２とから構成されている。
このような構成からなるキャリッジ９が主走査方向Ｘに沿って移動する領域には、図２に示すように、本体部１１の動作態様に対応して、本体部１１が記録媒体Ｐ上にインクを吐出して画像を形成する領域である画像記録領域Ｒと、本体部１１がノズルに付着したインクを除去するメンテナンス領域Ｍとがある。
また、キャリッジ９は、使用される記録媒体Ｐに応じて上板２の上面と直交する方向（以下、垂直方向Ｚという。）に移動するようになっている。キャリッジ９は、例えば、記録媒体Ｐに肉厚の薄い紙等が用いられた場合には、上板２の上面と近接する方向、すなわち、下方向に移動し、記録媒体Ｐに肉厚の厚いダンボールやポリカーボネイト等が用いられた場合には、上板２の上面と離間する方向、すなわち、上方向に移動するようになっている。
【００３０】
上述したキャリッジ９の本体部１１の内部には、図１に示すように、記録媒体Ｐの記録面に向けてイエロー（Ｙ）、マゼンタ（Ｍ）、シアン（Ｃ）、ブラック（Ｋ）の各プロセスカラーのインクを吐出する計４個の記録ヘッド１３が搭載されている。各記録ヘッド１３は、略直方体状に形成されており、各記録ヘッド１３の長手側が主走査方向Ｘで互いに略平行となるように配列されている。
また、各記録ヘッド１３の上板２と対向する面（以下、吐出面という。）には、インクをインク滴として吐出する多数のノズル（図示せず）が配列されている。これら記録ヘッド１３には、例えば、ピエゾ素子又は加熱素子等により、内部のインクに圧力を付与する素子がノズル毎に設けられており、これら素子が駆動することにより、各ノズルから個別にインクが液滴として吐出されるようになっている。
【００３１】
上述したキャリッジ９の副走査方向Ｙの下流側には、横板状の第２支持板１４が主走査方向Ｘに延在している。この第２支持板１４の両端には、第２支持板１４を支持する略長方形状の支持部１５が、それぞれ上板２上に設けられている。
第２支持板１４には、記録媒体Ｐに紫外線を照射する紫外線照射装置１６が、上板２の画像記録領域Ｒに第２支持板１４によって支持されている。紫外線照射装置１６には、略箱状の筐体１７が備えられている。筐体１７の内部には、紫外線光源（図示せず）が配設されており、この紫外線光源から記録媒体Ｐの上面に吐出されたインクを硬化させる紫外線が、記録媒体Ｐに照射されるようになっている。
【００３２】
なお、本実施形態における紫外線光源には、公知の光源、例えば、低圧水銀ランプ、高圧水銀ランプ、メタルハライドランプ、ブラックライト、冷陰極管、ＬＥＤ（Light Emitting Diode）等を適用することが可能であり、特に限定されるものではない。
【００３３】
紫外線照射装置１６の主走査方向Ｘの一端には、上板２方向に冷却風を送風する冷却装置１８が設けられている。また、冷却装置１８の内部には、回転自在な冷却ファン（図示せず）が備えられている。この冷却ファンは、紫外線照射装置１６の下方を通過する記録媒体Ｐに冷却風を効率的に送風するように、第２支持板１４に対して所定の角度を形成するように配置されている。
【００３４】
また、上板２の上面で、画像記録領域Ｒのメンテナンス領域Ｍと反対側には、記録媒体走査部１９が設けられている。記録媒体走査部１９は、図１及び図２に示すように、副走査方向Ｙに長尺で上板２に固定された固定部材２０と、この固定部材２０に沿って往復移動可能な平板状の移動部材２１とから構成されている。この移動部材２１は、リニアアクチュエータにより移動可能となっており、固定部材２０が給電されることにより発生する電磁力を用いて移動部材２１を往復移動させるようになっている。また、上述した移動部材２１の上面には、記録媒体Ｐを下面から支持する平板状のテーブル２２が固定されており、移動部材２１の移動に伴って副走査方向Ｙに往復移動自在なようになっている。この平板状のテーブル２２は、本実施形態における記録媒体支持部である。
【００３５】
この平板状のテーブル２２には、図３に示すように、テーブル下部２３が設けられている。このテーブル下部２３には、画像領域Ｒ上を移動する部分とそれ以外の部分とで区切られる障壁２４が設けられている。さらに、テーブル下部２３の障壁２４で区切られて画像領域Ｒ上を移動する部分には、周辺部Ｅとそれ以外の場所である中央部Ｃとに区切る障壁２５が設けられている。
【００３６】
テーブル下部２３の上部には、平板状でテーブル下部２３の周辺部と同じ大きさのテーブル上部２６が設けられている。このテーブル上部２６には、貫通している吸引穴２７が配置されており、このテーブル上部２６に配置される吸引穴２７が、テーブル下部２３の中央部Ｃの上部に当たる部分よりも周辺部Ｅの上部に当たる部分に数多く配置されるようになっている。この周辺部Ｅは、テーブル２２に支持される記録媒体Ｐの周辺部に対応し、また、中央部Ｃは、記録媒体Ｐの中央部に対応するようになっている。また、周辺部Ｅで副走査方向Ｙと直交する方向には、それ以外の周辺部Ｅよりも更に多くの数の吸引穴２７が配置されていることが望ましい。
【００３７】
テーブル下部２３には、テーブル上部２６の周辺部Ｅに対応する部分を裏面から吸引する吸引装置２８と、テーブル上部２６の中央部Ｃに対応する部分を裏面から吸引する吸引装置２９とが備えられており、それぞれの吸引装置２８、２９とテーブル下部２３との間には、吸引管３０が連結されている。この吸引装置２８は、吸引装置２９よりも吸引力が大きいものである。記録媒体Ｐがテーブル上部２６に保持される力は、裏面から受ける吸引力に比例している。このため、テーブル上部２６に支持される記録媒体Ｐの周辺部は、周辺部以外の部分よりも強く吸引されて、強く保持されるようになっている。
【００３８】
なお、図３には、テーブル上部２６の周辺部Ｅには、同じ大きさ吸引穴２７が、中央部Ｃよりも多く配置されている例を示したが、これに限定されず、周辺部Ｅの吸引穴の密度が中央部Ｃの吸引穴の密度よりも高くなるように吸引穴が配置されていれば良い。例えば、周辺部Ｅには、中央部Ｃよりも穴径の大きな吸引穴を配置したり、また、穴径の大きな吸引穴を多数配置する構成を用いてもよい。
【００３９】
本実施形態におけるインクは、紫外線を照射することにより硬化する紫外線硬化型インクである。
ここで、紫外線硬化型インクとは、重合性化合物としてラジカル重合性化合物を含有するラジカル重合系インクと、カチオン重合性化合物を含有するカチオン重合系インクとのことをいう。
本実施形態に用いられるインクとして、上述した両系のインクをそれぞれ適用可能であるが、酸素による重合反応の阻害作用が少ない又は無いカチオン重合系インクの方が、機能性及び汎用性に優れるため、特に、カチオン重合系インクを用いることが好ましい。
また、ラジカル重合系インクとカチオン重合系インクとを複合させたハイブリッド型インクも適用可能である。
【００４０】
次に、本実施形態におけるインクジェット記録装置１の制御構成について説明する。
【００４１】
図４に示すように、インクジェット記録装置１には、インクジェット記録装置１の各部を制御する制御部３１が備えられている。
【００４２】
制御部３１には、キャリッジ９が接続されており、制御部３１により主走査方向Ｘに沿って往復移動を制御されるようになっている。また、この制御部３１には、記録媒体Ｐにインクを吐出する記録ヘッド１３が接続されており、キャリッジ９の移動に対応して記録ヘッド１３からインクを吐出するタイミングや吐出量等が、制御部３１により駆動制御されるようになっている。
さらに、制御部３１には、記録媒体Ｐに向かって紫外線を照射する紫外線照射装置１６が接続されており、紫外線照射装置１６の紫外線光源への通電が制御部３１により制御されるようになっている。
【００４３】
制御部３１には、記録媒体Ｐを支持して副走査方向Ｙに搬送する記録媒体走査部１９が接続されており、キャリッジ９の移動と対応した記録媒体走査部１９による記録媒体Ｐの搬送が、制御部３１により制御されるようになっている。
また、制御部３１には、記録媒体Ｐを裏面から吸引する吸引装置２８、２９がそれぞれ接続されており、吸引穴２７の数や大きさ、記録媒体Ｐの材質、大きさ、厚さ、又、記録媒体Ｐの搬送速度に対応して記録媒体Ｐの周辺部や中央部の吸引力を制御するようになっている。
【００４４】
次に、本実施形態におけるインクジェット記録装置１の作用について説明する。
【００４５】
インクジェット記録装置１に所定の画像情報が送られると、制御部３１が記録媒体走査部１９を駆動制御して移動部材２１を固定部材２０に沿って副走査方向Ｙに移動させ、記録媒体Ｐが搭載されたテーブル２２をキャリッジ９の直下に移動させる。
【００４６】
このとき、テーブル２２に搭載された記録媒体Ｐの周辺部Ｅは、裏面から、記録媒体Ｐのそれ以外の部分Ｃよりも強く吸引されるので、この吸引力に比例した力でテーブル２２に保持される。このため、テーブル２２が副走査方向Ｙに移動しても、記録媒体Ｐの周辺部Ｅがテーブル２２から浮き上がることを防止することができる。
【００４７】
そして、キャリッジ９の下方にテーブル２２の記録媒体Ｐが配置されると、記録媒体Ｐの所定の位置に、記録ヘッド１３のノズルから所要の色のインクが吐出される。記録媒体Ｐの上面に着弾したインクには、紫外線照射装置１６から紫外線が照射され、インクが記録媒体Ｐに固着される。そして、移動部材２１の間欠移動に伴い、テーブル２２が副走査方向Ｙに移動する。
その後、同様の動作が繰り返され、記録媒体Ｐの上面に所望の画像が形成されて、一連の画像形成動作が完了する。
【００４８】
以上より、本実施形態におけるインクジェット記録装置１によれば、簡易な構成により、記録媒体Ｐの周辺部をそれ以外の部分よりも強い吸引力でテーブルに支持することができるので、記録媒体Ｐを高速に搬送しても画像形成装置にジャムなどの故障が生じることを防止することができる。また、紫外線照射装置の近傍に冷却ファンを設け、この冷却ファンが記録媒体に冷却風を送風しても、記録媒体が冷却風により浮きや剥がれが生じることを防止することができる。
【００４９】
また、本実施形態では、記録媒体Ｐの周辺部Ｅに配置された吸引穴２７とそれ以外の部分Ｃの吸引穴２７とでは、異なる吸引装置２８、２９を用いる例を示したが、これに限定されず、記録媒体Ｐの周辺部Ｅに穴径の大きな穴を配置したり、また、穴径の大きな吸引穴を多数配置するような構成のときには、同一の吸引装置を用いて記録媒体Ｐの周辺部の吸引力を強くするようにしてもよい。
【００５０】
更に、本実施形態では、テーブル下部２３の内部に障壁２５を設け、あらかじめ記録媒体Ｐの周辺部Ｅとそれ以外との部分Ｃとに分けて記録媒体Ｐを吸引する例を示したが、これに限定されず、使用する記録媒体Ｐの大きさに対応して記録媒体Ｐの周辺部Ｅとそれ以外の部分Ｃとを区切るような構成にしても良い。
例えば、図５に示すＡ３サイズ及びＡ４サイズの記録媒体Ｐを支持するテーブル３２のような構成であっても良い。
詳細には、箱部３３には、画像領域Ｒ上を移動する部分とそれ以外の部分を区切る障壁３４と、障壁３４で区切られた画像領域Ｒ上を移動する部分を、Ａ４サイズの記録媒体Ｐが支持される部分の周辺部よりも大きな部分Ｓとそれ以外の部分Ｔとに区切る障壁３５と、回転により部分Ｓと部分Ｔとを連通させる回転部３６とが設けられている。蓋部３７の画像領域Ｒ上を移動する部分にはＡ３サイズの記録媒体が、蓋部３７で箱部３３の部分Ｓの上部に当たる部分にはＡ４サイズの記録媒体がそれぞれ支持されるようになっており、記録媒体の周辺部に対応する部分には、それ以外の部分よりも多くの吸引穴３８が貫通している。また、箱部３３には、蓋部３２の部分Ｓに対応する部分を裏面から吸引する吸引装置３９が備えられており、吸引装置３９と箱部３３との間には、吸引管４０が連結されている。
このようなテーブル３２では、Ａ３サイズの記録媒体Ｐを支持するときは、回転部３６がモータやソレノイド等により回転して部分Ｓと部分Ｔとを連結し、Ａ３サイズの記録媒体の裏面全体から吸引装置３９により吸引するようになっている。また、テーブル３２にＡ４サイズの記録媒体Ｐを支持するときには、回転部３６が部分Ｓと部分Ｔとを区切り、吸引装置３９により部分Ｓのみが吸引されるようになっている。
また、回転部３６により部分Ｓと部分Ｔとの連通を制御する例を示したが、これに限らず、シャッターや弁などを用いて制御するようにしても良い。
【００５１】
さらに、上記のように用いる記録媒体の大きさに応じて回転部を回転させるものと、本実施形態のように予め障壁を設けるものとを組み合わせた構成を用いて、複数の大きさの記録媒体に応じて吸引できるようにしてもよい。
【００５２】
なお、本実施形態では、テーブル下部２３の内部には、障壁２５以外には何も配置しない例を示したが、これに限定されず、箱部の内部で障壁が設けられていない部分にハニカム材を用いるようにしても良い。図６に、ハニカム材の例を示す。このハニカム材により、軽量で高い強度を有する箱部を用いることができるので、テーブルを高速に搬送することができる。
さらに、ハニカム構造を有するハニカム材に限らず、三角形、四角形等の多角形構造を有するものを用いるようにしても良い。
【図面の簡単な説明】
【００５３】
【図１】本発明に係るインクジェット記録装置の外観構成を示す斜視図である。
【図２】本発明に係るインクジェット記録装置の主要部の構成を拡大して示す側面図である。
【図３】本発明に係る蓋部と箱部との構成を示す斜視図である。
【図４】本発明に係るインクジェット記録装置の制御構成を示すブロック図である。
【図５】本発明に係る蓋部と箱部との別の構成を示す斜視図である。
【図６】本発明にかかる箱部の内部の構造を示す斜視図である。
【符号の説明】
【００５４】
１     インクジェット記録装置
１６   紫外線照射装置
２２、３２          テーブル
２７、３８          吸引穴
２８、２９、３９    吸引装置
【図１】
2007144848.tif 000003
【図２】
2007144848.tif 000004
【図３】
2007144848.tif 000005
【図４】
2007144848.tif 000006
【図５】
2007144848.tif 000007
【図６】
2007144848.tif 000008